(57)【特許請求の範囲】
【請求項１】
シャツの折りたたんだ状態を保持する襟ガード支持体であって、
シャツの後身頃にあてられる背あてと、シャツの襟を襟の下から固定するための襟ガード部と、前記背あてと前記襟ガード部とを連結する連結部と、シャツが折りたたまれた状態を保持する保持ひもであって、両端が前記背あてに備えられている保持ひもとを有し、
前記襟ガード部は、固定襟ガード部と、前記固定襟ガード部の両端に連結する２つの可動襟ガード部とからなり、前記可動襟ガード部は、前記固定襟ガード部に対して可動し、前記２つの可動襟ガード部は、互いに接続可能である、襟ガード支持体。
【請求項２】
前記２つの可動襟ガード部はそれぞれ面ファスナーを備え、前記可動襟ガード部同士の接続は、面ファスナーの接続によって行われる、請求項１に記載の襟ガード支持体。
【請求項３】
前記襟ガード支持体は、前記連結部と、前記背あてとの境界に折曲線を有し、前記背あてに対して、前記連結部及び襟ガード部を折りたたむことができる、請求項１又は２に記載の襟ガード支持体。
【請求項４】
前記保持ひもが、伸縮性のひもである、請求項１乃至３のいずれか一項に記載の襟ガード支持体。
【請求項５】
シャツの折りたたんだ状態を保持する襟ガード支持体であって、
シャツの後身頃にあてられる背あてと、シャツの襟を襟の下から固定するための襟ガード部と、前記背あてと前記襟ガード部とを連結する連結部と、シャツが折りたたまれた状態を保持する２本の保持ひもであって、片端が前記背あてに備えられており、前記保持ひもが互いに接続可能な保持ひもとを有し、
前記襟ガード部は、固定襟ガード部と、前記固定襟ガード部の両端に連結する２つの可動襟ガード部とからなり、前記可動襟ガード部は、前記固定襟ガード部に対して可動し、前記２つの可動襟ガード部は、互いに接続可能である、襟ガード支持体。
【発明の詳細な説明】
【技術分野】
【０００１】
本発明は、出張時の大型バックやスーツケース内でも、シャツ（ワイシャツ）の襟の形状を保持する襟ガード支持体に関する。
【背景技術】
【０００２】
スーツを着る時は、その中にはシャツを着用することが多い。したがって、ビジネスで遠方地域に出張する際は、現地で宿泊するためシャツを持参する。宿泊する場合は、荷物が多いため容量の大きいスーツケースを利用するが、スーツケース内に持参するシャツを綺麗に折り畳んで収納しても、移動などによりスーツケース内の荷物にシャツの襟が押しつぶされてしまう。このため、出張先では襟が立っていないシャツを利用することになってしまう。
【０００３】
特許文献１は、シャツの襟を整形及び形状維持することができるシャツ折り畳み形状維持台紙が開示されている。しかし、この台紙は、シャツを販売する際に整形及び形状維持することを目的としたものであると推測され、コストを低減させるため紙で作られている。このような紙でできた台紙を数回利用すると、台紙が折れ曲がってしまう。さらに、襟整形部材と台紙が分離されているため、一方を紛失してしまうと、シャツの襟を整形及び形状維持することができなくなってしまう。
【先行技術文献】
【特許文献】
【０００４】
【特許文献１】特開２００８−２２２２６５号公報
【発明の概要】
【発明が解決しようとする課題】
【０００５】
本発明は、折り畳んだシャツをスーツケースに収納して持ち運んでも、シャツの襟をつぶれにくくする襟ガード支持体を提供する。
【課題を解決するための手段】
【０００６】
本発明者は、上記課題に鑑み鋭意研究を重ねた結果、本発明に到達した。すなわち、本発明は、シャツの折りたたんだ状態を保持する襟ガード支持体であって、シャツの後身頃にあてられる背あてと、シャツの襟を襟の下から固定するための襟ガード部と、前記背あてと前記襟ガード部とを連結する連結部と、シャツが折りたたまれた状態を保持する保持ひもであって、両端が前記背あてに備えられている保持ひもと、を有する襟ガード支持体に関する。
【発明の効果】
【０００７】
本発明の襟ガード支持体は、単一の製品であるため、従来の台紙に比べて紛失しにくく、さらに、簡易に折り畳たんだ状態を保持できる。さらに、部材に樹脂を使用すれば、繰り返し使用することができ、また、経済的にも優れている。
【図面の簡単な説明】
【０００８】
【図１】図１は、本発明の襟ガード支持体１の正面図である。
【図２】図２は、本発明の襟ガード支持体１をシャツ１０に取り付ける時の図である。
【図３】図３は、可動襟ガード部６ａ、６ｂをシャツの襟１１の下に装着して、接続部８ａ、８ｂを接続した状態の襟周辺部の拡大図である。
【図４】図４は、接続部８ａ、８ｂを接続した後に、裏返してシャツ１０の袖を折り畳もうとしているところを示す図である。
【図５】図５は、シャツの袖を折り畳んだ後に、シャツ１０の裾を２回折り曲げ、さらに、保持ひも９でシャツの形状を保持しようとしているところを示す図である。
【図６】図６は、襟ガード支持体１を使用して、シャツ１０を折り畳んで完成させた正面図である。
【図７】図７は、図６の背面図である。
【図８】図８は、図１の襟ガード支持体１をコンパクトにする際の途中の図である。
【図９】図９は、襟ガード支持体１を収納するためにコンパクトにした図である。
【図１０】図１０は、本発明の別の態様の襟ガード支持体１Ａである。
【図１１】図１１は、襟ガード支持体１Ａを使用して、シャツ１０を折り畳んで完成させた正面図である。
【発明を実施するための形態】
【０００９】
以下、本発明の実施の形態について図面を参照して説明する。
【実施例】
【００１０】
［構成］
本発明の襟ガード支持体１の構成について説明する。図１は、襟ガード支持体１の正面図である。
【００１１】
襟ガード支持体１の背あて２は、長方形であり、０．５ｍｍ〜３ｍｍ程度の厚さである。使用時はシャツ１０の後身頃にあてて、シャツの形状を支持する。シャツを折り畳んだ時の大きさは、背あて２の大きさとほぼ等しくなる。具体的には、背あて２の大きさは、丈方向で１８ｃｍ〜２５ｃｍ程度であり、幅方向で２５ｃｍ〜３５ｃｍ程度である。
【００１２】
背あて２は、シャツの襟１１に対応する側の短辺の中心に連結部３を有している。連結部３は長方形で厚さは背あて２と同様である。連結部３は、背あて２と後述する固定襟ガード部５とを連結している。連結部３は、連結部３と背あて２との境界である折曲線４で、背あて２の上に重なるように折り曲げることができる。連結部３は、柔軟性を有する素材、例えば、柔軟性のある樹脂を使用する。
【００１３】
固定襟ガード部５は、背あて２に連結部３を介して接続されている。固定襟ガード部５は、細長い長方形で角は切除している。厚さは背あて２と同様の厚さである。固定襟ガード部５は、シャツの襟の後方側の下に配置させ、シャツの襟１１の後ろ側の形状を保持するものであり、襟の後ろの部分を襟の下から支えるものである。固定襟ガード部５は、襟の形状にそって変形できる必要があるため、柔軟性のある樹脂を使用する。
【００１４】
可動襟ガード部６ａ、６ｂは、それぞれ固定襟ガード部５の両端に、可動襟ガード部６ａ、６ｂの一方の端の近傍で接続されている。可動襟ガード部６ａ、６ｂは、細長い長方形で薄い板状であるが、固定襟ガード部５と接続している側の角は切除している。厚さは、背あて２と同様である。可動襟ガード部６ａ、６ｂは、固定襟ガード部５に対して、可動することができ、可動させて微調整しながら、襟の下に配置させ、シャツの襟の形状にフィットさせて、襟の側面及び前面を保持するものである。すなわち、襟の側面及び前面部分を襟の下から支えるものである。可動襟ガード部６ａ、６ｂも、襟の形状にそって変形できる必要があるため、柔軟性のある樹脂を使用する。なお、本明細書では、固定襟ガード部と可動襟ガード部とを合わせて、襟ガード部と称する場合がある。
【００１５】
固定襟ガード部５と、可動襟ガード部６ａ、６ｂとは軸７ａ、７ｂで接続されている。したがって、可動襟ガード部６ａ、６ｂは、軸７ａ、７ｂを中心に回動することができる。
【００１６】
可動襟ガード部６ａ、６ｂは、固定襟ガード部５と接続されていない方の端に、接続部８ａ、８ｂを有している。接続部８ａは、接続部８ｂと接続できる構成になっている。可動襟ガード部６ａ、６ｂをシャツの襟の下に配置し、シャツの前面の第一ボタン（シャツの前面を留めるボタンのうち、最上部のボタン）近傍で、接続部８ａと８ｂとを接続することで、固定襟ガード部５と可動襟ガード部６ａ、６ｂが筒状になり、シャツの襟全体を襟の下から保持することができる。実施例では、接続部８ａと８ｂは、面ファスナーであるが、これに限定されるものではない。例えば、フックなどで代用することも可能である。シャツ１０の前面で接続部８ａ及び８ｂを互いに接続できるように、接続部８ａは可動襟ガード部６ａの表面に配置し、接続部８ｂは、可動襟ガード部６ｂの裏面に配置する。図１では、接続部８ｂは見えない位置にあるが、理解しやすくするため、点線で記載している。
【００１７】
背あて２は、シャツの折り畳んだ状態を維持するための保持ひも９を有している。保持ひも９の両端は、背あて２の連結部３を有する短辺の端に縫接されている。本実施例では、保持ひも９の一方の端は、背あて２の連結部３を有する短辺の端の表面に縫接され、保持ひも９の反対の端は、背あて２の連結部３を有する短辺の反対の端の裏面に縫接されている。保持ひも９の断面の形状は、円状でも、楕円でも、長方形でも使用することができる。伸縮性を有するものが好ましい。
【００１８】
保持ひも９は、図１のように１本にしてもよいし、図１０における保持ひも９Ａ、９Ｂのように、二本にしてもよい。二本の場合は、背あて２に接続されていない方の端に保持ひも接続部１２ａ、１２ｂを備え、二本の保持ひも９Ａと９Ｂとを互いに接続できるようにする。
【００１９】
［襟ガード支持体１の使用方法］
次に、襟ガード支持体１の使用方法について説明する。まず図２のように、襟ガード支持体１の背あて２をシャツ１０の背中に接するように配置し、固定襟ガード部５と、可動襟ガード部６ａ、６ｂとを襟の下に入れ、襟の折り目を固定襟ガード部５と、可動襟ガード部６ａ、６ｂで支えるようにし、シャツの襟１１が綺麗な形状になるように配置する。そして、接続部８ａと接続部８ｂとを第一ボタン付近で接続させる。接続部８ａと接続部８ｂとを接続させた状態を図３に示す。なお、シャツ１０の後見頃に対して、襟１１は立っているので、襟ガード支持体１においても、背あて２に対して固定襟ガード部５が立っている状態になっている。このような形状になるのは、連結部３が柔軟性を有する素材であり、連結部３が曲がることができるためである。本態様のように、折曲線４を有する場合は、背あて２に対して、連結部３と固定襟ガード部５とが、折曲線４で折り曲げられて、背あて２に対して固定襟ガード部５が立つような形状になる。
【００２０】
次に、図４のように、シャツ１０の左側を背あて２の左の長辺に沿って、幅方向に背あて２の裏面（シャツ１０のない面）に折り返し、背あて２の裏側に位置した左の袖を背あて２上でさらに折り畳む。同様に、シャツ１０の右側も背あて２の右の長辺に沿って幅方向に背あて２の裏側に折り返し、背あて２の裏面に位置した右の袖をさらに折り畳む（図５を参照）。
【００２１】
次に袖を折り畳んだシャツ１０の裾を、シャツ１０の裾から背あて２の下辺までの所定の位置で、背あて２の裏面側に折り曲げ、さらに、背あて２の下部の辺に対応するシャツの部分で折り曲げる。そうすることで、折り畳んだシャツ１０の丈方向の長さは、背あて２の丈方向の長さとほぼ等しくなる。
【００２２】
最後に、保持ひも９を背あて２の下部の辺の中心で折り返えすようにＶ字型に配置させる（図６及び図７を参照）。なお、Ｖ字型の状態を維持しやすくするために、背あて２の下辺中央に小さな山型の切込みを設けることができる。
【００２３】
［襟ガード支持体の変形方法］
襟ガード支持体１からシャツから取り外した後は、襟ガード支持体１は、通常かばんなどに収納させるが、その際は、下記のようにコンパクトにすることができる。
【００２４】
図１の襟ガード支持体１の可動襟ガード部６ａ、６ｂを可動させ、固定襟ガード部５に対して、背あて２の反対側で重なるようにし、接続部８ａ  ８ｂを接続させる（図８参照）。
【００２５】
次に、折曲線４で連結部３を背あて２に重なるように折り曲げ、そして、保持ひも９を背あて２の連結部３の反対側の短辺に掛けるように、配置させる（図９参照）。
【００２６】
このように襟ガード支持体１を変形することで、襟ガード支持体１を薄い板状の長方形にすることができ、荷物の多いビジネス出張であっても、コンパクトにスーツケース等に収納することができる。
【００２７】
図１０は、別の態様の実施例の襟ガード支持体１Ａであり、二本の保持ひも９Ａ、９Ｂを備える。保持ひも９Ａ、９Ｂのように、保持ひもを二本にすることで、シャツを折り畳んで、最後にひも９Ａ、９Ｂをシャツに対して斜めに設置してシャツを保持する際に、シャツの形状を崩すことなく、設置することができる。襟ガード支持体１Ａを用いた場合の完成図は図１１である。図１１のように、二本の保持ひも９Ａ、９Ｂは、背あて２の上部の辺の端にそれぞれ縫着されており、また、背あて２の下端で互いに接続できるようにする。なお、二本の保持ひも９Ａ、９Ｂには、背あて２に縫着されていない方の端には、ひも接続部１２ａ、１２ｂを有している。ひも接続部１２ａ、１２ｂは、本態様では面ファスナーであり、ひも接続部１２ａ、１２ｂを互いに接続することができる。
【００２８】
［効果］
［１］シャツの折りたたんだ状態を保持する襟ガード支持体であって、シャツの後身頃にあてられる背あてと、シャツの襟を襟の下から固定するための襟ガード部と、前記背あてと前記襟ガード部とを連結する連結部と、シャツが折りたたまれた状態を保持する保持ひもであって、前記背あてに備えられている保持ひもと、を有する襟ガード支持体は、シャツを簡便に、しかも綺麗に折り畳むことができ、また折り畳んだ状態を保持することができる。このように保持したシャツは、荷物の入ったスーツケースに入れても、シャツの襟の形状を維持することができる。
【００２９】
また、［２］前記襟ガード部は、固定襟ガード部と、前記固定襟ガード部の両端に連結する２つの可動襟ガード部とからなり、前記可動襟ガード部は、前記固定襟ガード部に対して可動し、前記２つの可動襟ガード部は、互いに接続可能である。このような襟ガード支持体は、襟ガード支持体を使用しないときはコンパクトにすることができ、収納が容易である。しかも、可動襟ガード部が互いに接続できる場合は、固定襟ガード部及び可動襟ガード部で、筒状にすることができ、シャツの襟全体を保持することができる。
【００３０】
また、［３］前記２つの可動襟ガード部はそれぞれ面ファスナーを備え、前記可動襟ガード部同士の接続は、面ファスナーの接続によって行われる場合は、面ファスナーにより簡便に接続及び解除をすることができ、さらには、シャツの首回りの長さに応じて、面ファスナーの接続位置を変更し、シャツにフィットさせることもできる。しかも、収納時には背あての上で接続部を接続することによって、さらにコンパクトにできる。
【００３１】
また、［４］前記襟ガード支持体は、前記連結部と、前記背あてとの境界に折曲線を有し、前記背あてに対して、前記連結部及び襟ガード部を折りたたむことができる場合は、襟ガード支持体の収納時は、長方形の形状にすることができ、荷物が多く収納されているかばんやスーツケース内のわずかなスペースでも収納することができる。
【００３２】
また、［５］前記保持ひもが、伸縮性のひもである場合は、シャツを襟ガード支持体で折り畳んだ状態で保持するときに、シャツの形状がくずれにくくなる。
【００３３】
また、［６］  シャツの折りたたんだ状態を保持する襟ガード支持体であって、シャツの後身頃にあてられる背あてと、シャツの襟を襟の下から固定するための襟ガード部と、前記背あてと前記襟ガード部とを連結する連結部と、シャツが折りたたまれた状態を保持する２本の保持ひもであって、片端が前記背あてに備えられており、保持ひもが互いに接続可能な保持ひもと、を有する襟ガード支持体は、シャツを簡便に、しかも綺麗に折り畳むことができ、また折り畳んだ状態を保持することができる。このように保持したシャツは、荷物の入ったスーツケースに入れても、シャツの襟の形状を維持することができる。しかも、保持ひもが２本あることで、シャツの形状を崩さずに保持ひもを設置することができる。
【００３４】
以上、本発明の実施例を詳述してきたが、具体的な構成はこの実施例に限らず、本発明の要旨を逸脱しない程度の設計的変更は、本発明に含まれる。
【符号の説明】
【００３５】
１、１Ａ    襟ガード支持体
２    背あて
３    連結部
４    折曲線
５    固定襟ガード部
６ａ  ６ｂ    可動襟ガード部
７ａ  ７ｂ    軸
８ａ  ８ｂ    接続部
９、９Ａ、９Ｂ    保持ひも
１０    シャツ
１１    シャツの襟
１２ａ、１２ｂ  ひも接続部    
【要約】
【課題】ビジネスの出張などでシャツを持参するときに、スーツケース内に入れてもシャツの折り畳んだ形状をくずれにくくする襟ガード支持体を提供する。
【解決手段】シャツの折りたたんだ状態を保持する襟ガード支持体であって、
シャツの後身頃にあてられる背あてと、シャツの襟を襟の下から固定するための襟ガード部と、前記背あてと前記襟ガード部とを連結する連結部と、シャツが折りたたまれた状態を保持する保持ひもであって、両端が前記背あてに備えられている保持ひもと、を有する襟ガード支持体。
【選択図】図１【図１】
0005778847.tif 000002
【図２】
0005778847.tif 000003
【図３】
0005778847.tif 000004
【図４】
0005778847.tif 000005
【図５】
0005778847.tif 000006
【図６】
0005778847.tif 000007
【図７】
0005778847.tif 000008
【図８】
0005778847.tif 000009
【図９】
0005778847.tif 000010
【図１０】
0005778847.tif 000011
【図１１】
0005778847.tif 000012